(57)【要約】【課題】容易に２本のホースを収納することができるホースリールを提供する。【解決手段】第一ホース３と、第二ホース４と、上記第一ホース３を巻き取ることができるドラム１０と、このドラム１０を回転可能に支持するドラム支持体１４と、上記第一ホース３の中途位置に、上記第二ホース４の長手方向のいずれかの位置を着脱可能に連結するホース連結具５とを有し、上記第二ホース４の少なくとも一部を上記第一ホース３とともに上記ドラム１０に巻き取ることができるホースリール１。【選択図】図１
2015189571.tif 000002
【特許請求の範囲】
【請求項１】
第一ホースと、
第二ホースと、
上記第一ホースを巻き取ることができるドラムと、
このドラムを回転可能に支持するドラム支持体と、
上記第一ホースの中途位置に、上記第二ホースの長手方向のいずれかの位置を着脱可能に連結するホース連結具とを有し、
上記第二ホースの少なくとも一部を上記第一ホースとともに上記ドラムに巻き取ることができることを特徴とするホースリール。
【請求項２】
上記第二ホースの両端近傍に径が大きい大径部を設けるとともに、
上記大径部が上記ドラムに対して所定の角度よりも巻き込まれることを阻止する巻き込み制止部を設けたことを特徴とする請求項１記載のホースリール。
【請求項３】
上記ドラム支持体が、ドラムに巻き取った第一ホースを収納できる箱形に形成されるとともに、第一ホースを出し入れするホース窓を有し、かつ、上記ホース窓から上記第二ホースの両端を上記ドラム支持体の内部に収容することができることを特徴とする請求項１記載のホースリール。
【請求項４】
上記ホース連結具が、上記第一ホースに取り付けられる第一ホース取付部と、上記第二ホースに取り付けられる第二ホース取付部とに分離可能であることを特徴とする請求項１記載のホースリール。
【請求項５】
上記第一ホース取付部に第二ホース取付部を取り付けたときに、上記第二ホース取付部が上記第一ホース取付部に対し、所定方向に回転または揺動することができることを特徴とする請求項４記載のホースリール。
【請求項６】
上記ホース連結具の少なくとも一部に紐状部材を用いたことにより、上記第一ホースに上記第二ホースを連結したときに、上記第二ホースが上記第一ホースに対し、所定方向に回転または揺動することができることを特徴とする請求項１記載のホースリール。
【発明の詳細な説明】
【技術分野】
【０００１】
本発明は、送水用のホースを巻き取って収納し、必要に応じてホースを引き出して使用することができるホースリールに関し、特に２つ以上のホースを使用するホースリールに関する。
【背景技術】
【０００２】
水まき等に使用されるホースは、一般にホースリールのドラムに巻き取られて収納され、必要に応じて引き出して使用される。
また、ホースリールから散水ノズル等の水使用装置までを接続する第一ホースと、水道蛇口等の給水設備からホースリールまでを接続する第二ホースとの、２本のホースを使用するホースリールもあった。
【０００３】
しかし、従来のホースリールは、第一ホースを巻き取るドラムを設けていたが、第二ホースを収納するスペースがないため、不使用時に第二ホースが邪魔になっていた。
【０００４】
特許文献１には、第一ホースを巻き取る第一ドラムと、第二ホースを巻き取る第二ドラムとを別個に設けたホースリールが記載されている。第一ドラムと第二ドラムとは、それぞれの操作部によって互いに独立に回転させることができる。これにより、第二ホースもホースリールに収納することができた。
しかし、このホースリールでは、２つのドラムを設けることにより、装置が大型化するとともに部品点数も多くなって、材料コストおよび加工コストが高くなっていた。ホースリールの重量も増加するため、持ち運びをしにくくなっていた。
また、第一ホースと第二ホースとをホースリールに収納するために、第一ドラムと第二ドラムとの計２回の巻き取り操作を必要とするため、手間がかかっていた。
【０００５】
特許文献２には、第一ホースを巻き取る円筒状のドラムを有するとともに、ドラムの内部に、第二ホースを収納するための収納室を設けたホースリールが記載されている。このホースリールでは、ドラムの側方から第二ホースを収納室に押し込んで収納していた。
このため、第二ホースに折れ、潰れやねじれが生じる可能性があり、第二ホースの劣化を早めるおそれがあった。また、上記の収納方法では、第二ホースを比較的短くしないと収納室に収納できないため、第二ホースの長さの自由度が小さかった。
【先行技術文献】
【特許文献】
【０００６】
【特許文献１】特許第４０１７６３５号公報
【特許文献２】特開２０００−２６４５４６号公報
【発明の概要】
【発明が解決しようとする課題】
【０００７】
本発明は上記問題点を解決するためになされたものであり、容易に２本のホースを収納することができるホースリールを提供することを課題とする。
【課題を解決するための手段】
【０００８】
本発明において、上記課題が解決される手段は以下の通りである。
第１の発明に係るホースリールは、第一ホースと、第二ホースと、上記第一ホースを巻き取ることができるドラムと、このドラムを回転可能に支持するドラム支持体と、上記第一ホースの中途位置に、上記第二ホースの長手方向のいずれかの位置を着脱可能に連結するホース連結具とを有し、上記第二ホースの少なくとも一部を上記第一ホースとともに上記ドラムに巻き取ることができることを特徴とする。
【０００９】
第２の発明は、上記第二ホースの両端近傍に径が大きい大径部を設けるとともに、上記大径部が上記ドラムに対して所定の角度よりも巻き込まれることを阻止する巻き込み制止部を設けたことを特徴とする。
【００１０】
第３の発明は、上記ドラム支持体が、ドラムに巻き取った第一ホースを収納できる箱形に形成されるとともに、第一ホースを出し入れするホース窓を有し、かつ、上記ホース窓から上記第二ホースの両端を上記ドラム支持体の内部に収容することができることを特徴とする。
【００１１】
第４の発明は、上記ホース連結具が、上記第一ホースに取り付けられる第一ホース取付部と、上記第二ホースに取り付けられる第二ホース取付部とに分離可能であることを特徴とする。
【００１２】
第５の発明は、上記第一ホース取付部に第二ホース取付部を取り付けたときに、上記第二ホース取付部が上記第一ホース取付部に対し、所定方向に回転または揺動することができることを特徴とする。
【００１３】
第６の発明は、上記ホース連結具の少なくとも一部に紐状部材を用いたことにより、上記第一ホースに上記第二ホースを連結したときに、上記第二ホースが上記第一ホースに対し、所定方向に回転または揺動することができることを特徴とする。
【発明の効果】
【００１４】
第１の発明によれば、送水用の第一ホースと、送水用の第二ホースと、上記第一ホースを巻き取ることができるドラムと、このドラムを回転可能に支持するドラム支持体と、上記第一ホースの中腹の外面に取り付けられるとともに上記第二ホースの中腹の外面に取り付けられることにより、上記第二ホースを上記第一ホースに一体的に連結し、かつ、上記第一ホースおよび上記第二ホースの少なくとも一方に対して着脱可能であるホース連結具とを有することにより、不使用時には、ホース連結具を用いて第一ホースと第二ホースとを連結し、ともにドラムに巻き取って収納することができる。
【００１５】
第２の発明によれば、上記第二ホースの両端近傍に径が大きい大径部を設けるとともに、（上記ドラム支持体には、）上記大径部が上記ドラムに対して所定の角度よりも巻き込まれることを阻止する巻き込み制止部を設けたことにより、第二ホースのコネクターが常に引き出しやすい位置にあり、使用時に容易に引き出すことができる。
【００１６】
第３の発明によれば、上記ドラム支持体が、ドラムに巻き取った第一ホースを収納できる箱形に形成されるとともに、第一ホースを出し入れするホース窓を有し、かつ、上記ホース窓から上記第二ホースの両端を上記ドラム支持体の内部に収容することができることにより、ホースリールを保管するために必要なスペースを小さくすることができるとともに、箱形のドラム支持体によって第二ホースを保護することができる。
【００１７】
第４の発明によれば、上記ホース連結具が、上記第一ホースに取り付けられる第一ホース取付部と、上記第二ホースに取り付けられる第二ホース取付部とに分離可能であることにより、第一ホースおよび第二ホースを収納する度にホース連結具を位置決めする必要がなく、より容易に第一ホースおよび第二ホースを収納することができる。
【００１８】
第５の発明によれば、上記第一ホース取付部に第二ホース取付部を取り付けたときに、上記第二ホース取付部が上記第一ホース取付部に対し、所定方向に回転または揺動することができることにより、第一ホース３および第二ホース４の巻き取りに際して、積層したホース間の隙間に応じて回転または揺動し、新しく巻き取られるホースが既に積層したホースの隙間に入りやすくなり、巻き取られるホースの厚みが薄くなって、ホースリールを小型化することができる。
【００１９】
第６の発明によれば、上記ホース連結具の少なくとも一部に紐状部材を用いたことにより、上記第一ホースに上記第二ホースを連結したときに、上記第二ホースが上記第一ホースに対し、所定方向に回転または揺動することができ、新しく巻き取られるホースが既に積層したホースの隙間に入りやすくなり、巻き取られるホースの厚みが薄くなって、ホースリールを小型化することができる。
【図面の簡単な説明】
【００２０】
【図１】本発明の第一実施形態に係るホースリールを示す図であり、（ａ）は使用状態を示す斜視図、（ｂ）は収納途中を示す斜視図である。
【図２】（ａ）は同ホースリールの収納状態を示す斜視図、（ｂ）は収納状態の側方説明図である。
【図３】同ホースリールのホース連結具を示す図であり、（ａ）は斜視図、（ｂ）は側方図、（ｃ）は背面図、（ｄ）は平面図である。
【図４】本発明の第二実施形態に係るホースリールを示す斜視図である。
【図５】（ａ）は同ホースリールの収納状態の斜視図、（ｂ）は収納状態の部分拡大図、（ｃ）は収納状態を示す側方説明図である。
【図６】本発明のクリップタイプのホース連結具を示す図であり、（ａ）は斜視図、（ｂ）は第二ホース取付部の斜視図、（ｃ）は同断面図、（ｄ）は第一ホース取付部の斜視図、（ｅ）は同断面図である。
【図７】（ａ）、（ｂ）はそれぞれ、同ホース連結具の使用状態の説明図である。
【図８】本発明のフックタイプのホース連結具を示す図であり、（ａ）は斜視図、（ｂ）は底面図、（ｃ）は背面図である。
【図９】本発明のバンドを用いたホースリールの例を示す説明図である。
【図１０】本発明のバンドを用いたホースリールの他の例を示す説明図である。
【図１１】（ａ）、（ｂ）はそれぞれ、本発明のバンドを用いたホースリールのさらに他の例を示す説明図である。
【発明を実施するための形態】
【００２１】
以下、本発明の第一実施形態に係るホースリール１について説明する。
図１、図２に示すように、ホースリール１は、ホースリール本体２と、このホースリール本体２から下流の水使用器具までを接続する第一ホース３と、上流の給水設備（図示せず）からこのホースリール本体２までを接続する第二ホース４と、ホース連結具５とを有する。
【００２２】
第二ホース４は、給水設備に直接に接続されるもののほか、第三のホース等を介して間接に接続されるものであってもよい。
第一実施形態では、第二ホース４の上流端にコネクター６を設け、給水設備である水道蛇口（図示せず）に接続できるようにしている。水道蛇口にも、対応するコネクター（図示せず）を取り付けている。第二ホース４のコネクター６と水道蛇口のコネクターとは、所定の操作により着脱可能である。
また、第二ホース４の下流端にもコネクター６を設け、ホースリール本体２の取水コネクター７に直接に接続できるようにしている。このコネクター６と取水コネクター７とは、所定の操作により着脱可能である。
コネクター６，６は、第二ホース４の他の部分よりも太く形成されている。
【００２３】
第一ホース３も、水使用器具に直接に接続されるもののほか、第三のホース等を介して間接に接続されるものであってもよい。
第一実施形態では、第一ホース３の下流端にコネクター８を設け、水使用器具である散水ノズル９を直接に接続させている。このコネクター８と散水ノズル９とは、所定の操作により着脱可能である。
また、第一ホース３の上流端は、ホースリール本体２に直接に接続されている。
【００２４】
ホースリール本体２は、第一ホース３を巻き取ることができるドラム１０と、このドラム１０を回転可能に支持するドラム支持体１４とを有する。
ドラム１０は、外周に第一ホース３を巻き付ける略円筒状の軸筒１１（図２（ｂ）、図７参照）と、この軸筒１１の両端に形成され、巻き付けた第一ホース３の離脱を防止するとともに保護する一対の大径円盤部１２とからなる。
片方の大径円盤部１２には、ホースリール本体２の側方に突出する操作レバー１３が取り付けられている。この操作レバー１３の根元は大径円盤部１２の中心に固定されているが、途中で屈曲して、先端部は大径円盤部１２の中心から偏心した位置に配置されている。
他方の大径円盤部１２からは、取水コネクター７がホースリール本体２の側方に突出している。軸筒１１の周面には、径方向に突出した導出コネクター（図示せず）が形成されている。ドラムの内部には、取水コネクターから導出コネクターまで水を通過させる内部流路が形成されている（図示せず）。
導出コネクターには、第一ホース３の上流端が接続される。
【００２５】
ドラム支持体１４は、接地して前後方向に延びる一対の基台１５，１５と、それぞれの基台１５，１５の前端から後ろ上方に延びる一対の側柱１６，１６と、基台１５，１５の前端の間を接続する下アーチ１７と、側柱１６，１６の頂上の間を接続する上アーチ１８とを有する。
一方の側柱１６が所定の高さ位置で操作レバー１３を貫通させて保持し、他方の側柱１６が同じ高さ位置で取水コネクター７を貫通させて保持することにより、ドラム支持体１４がドラム１０を回転可能に保持することができる。
【００２６】
このホースリール１では、第一ホース３を引き出した状態から使用者が操作レバー１３を回転操作することにより第一ホース３をドラム１０に巻き取ることができる。また、第一ホース３を巻き取った状態から散水ノズル９を持って引っ張ることにより、ドラム１０を回転させて第一ホース３を引き出すことができる。
【００２７】
図２（ｂ）に示すように、上アーチ１８と軸筒１１との距離は、第一ホース３を完全に巻き取った状態で、積層した第一ホース３および第二ホース４と上アーチ１８との間に形成される隙間が、第二ホース４のコネクター６，６の直径よりも狭くなるように設定されている。
下アーチ１７と軸筒１１との距離も、上アーチ１８と軸筒１１との距離と同様に設定されている。
【００２８】
図３に示すように、ホース連結具５は、第一ホース３を挿通させる断面Ｃ字状の第一ホース取付部２０と、第二ホース４を挿通させる円筒状の第二ホース取付部２１とからなる。
図３（ａ）（ｄ）に示すように、第一ホース取付部２０は断面Ｃ字状であるため、切り欠かれた部分から、第一ホース３を弾性変形させて着脱することができる。
図３（ｃ）に示すように、第一ホース取付部２０の端部は、互いに平行ではなく、それぞれ５度ずつ末広がりになっており、第一ホース３を着脱しやすくなっている。
第一ホース３の外径φＡに対して第一ホース取付部２０の内径φＢは、０．５×φＡ≦φＢ≦φＡとすることが好ましい。φＢ≦φＡとしたことにより第一ホース３が滑らないように強固に保持することができ、０．５×φＡ≦φＢとしたことにより第一ホース取付部２０を取り付けても第一ホース３が潰れることがない。
第一ホース取付部２０の内面は、第一ホース３に装着した状態で第一ホース３の軸方向に滑って位置ずれしないように、軸方向に滑りにくい表面に形成することが好ましく、他方、第一ホース３のねじれを防止するため、第一ホース３の周方向には自由に滑りやすい表面に形成することが好ましい。
【００２９】
第二ホース４の外径φＣに対して第二ホース取付部２１の内径φＤは、０．５×φＣ≦φＤ≦φＣとすることが好ましい。φＤ≦φＣとしたことにより第二ホース４が滑らないように強固に保持することができ、０．５×φＣ≦φＤとしたことにより第二ホース取付部２１を取り付けても第二ホース４が潰れることがない。
第二ホース取付部２１の内面は、第二ホース４の軸方向に滑って位置ずれしないように、軸方向に滑りにくい表面に形成することが好ましく、他方、第二ホース４のねじれを防止するため、周方向に滑りやすい表面に形成することが好ましい。
【００３０】
第一ホース３および第二ホース４の内径（直径）は、５〜２５ｍｍとするのが好ましい。
上記内径を５ｍｍ未満にすると、流路断面積が小さくなりすぎ、低水圧下で充分な流量を確保することができない。低水圧下で充分な流量を確保するために、上記内径を７ｍｍ以上にするのがより好ましい。
また、上記内径を２５ｍｍ超にすると、装置が大型化してしまう。上記内径を２０ｍｍ以下にするのがより好ましく、１８ｍｍ以下にするのが特に好ましい。
【００３１】
第一ホース３および第二ホース４の肉厚は、１〜３ｍｍとするのが好ましい。
上記肉厚を１ｍｍ未満にすると、強度が不足して使用中に破損するおそれがある。強度を確保するために、上記肉厚を１．５ｍｍ以上にするのがより好ましい。
また、上記肉厚を３ｍｍ超にすると、材料コストが増加するとともに、ホースの柔軟性が低下してしまう。材料コストを低下させるために、上記肉厚を２．５ｍｍ以下にするのがより好ましい。
第一ホース３および第二ホース４の内径、肉厚は、同一の寸法であってもよく、また、それぞれ異なる寸法であってもよい。
【００３２】
第一ホース３の長さは、５〜１００ｍにするのが好ましい。
上記長さを５ｍ未満にすると、散水可能範囲が狭くなるとともに、ホースが短すぎてホースリールに収容する必要性が低下する。上記長さを１０ｍ以上にするのがより好ましい。
また、上記長さを１００ｍ超にすると、１００ｍ超のホースが必要とされる機会が少ないにもかかわらず、不必要に装置が大型化する。上記長さを５０ｍ以下にするのがより好ましい。
【００３３】
図３（ａ）に示すように、第一ホース取付部２０と第二ホース取付部２１とは、９０度で交差している。
図１に示すように、第二ホース取付部２１は、あらかじめ第二ホース４に装着しておく。第二ホース４の両端のコネクター６，６の外径は、第二ホース取付部２１の内径よりも太いため、ホース連結具５は第二ホース４から離脱することがなく、ホース連結具５の紛失を防止することができる。
【００３４】
ホース連結具５は、材料を一体成形することによって形成されている。
ホース連結具５の材料には、金属や、ゴム、樹脂等を使用することができる。
上記の中では、強度に優れる樹脂、金属が好ましい。その中でも、材料コストが低く生産性に優れる樹脂がより好ましい。さらに樹脂の中でも、成形が容易な熱可塑性樹脂が特に好ましい。熱可塑性樹脂の中では、成形性に優れるＰＰ（ポリプロピレン）、ＡＢＳ（アクリロニトリル、ブタジエン、スチレン共重合樹脂）、ＰＯＭ（ポリアセタール）が好ましい。ホース連結具５は使用者に踏まれるおそれがあるため、これらの中でも、衝撃強度に優れるとともに材料コストが低いＰＰが好ましい。
【００３５】
以下では、第一実施形態のホースリール１を用いた第一ホース３、第二ホース４の収納構造について説明する。
図１に示すように、ホース連結具５の第二ホース取付部２１は、あらかじめ、第二ホース４の略中央に装着しておく。
ホースリール１で散水を行う場合、図１（ａ）に示すように、水道蛇口からホースリール本体２の取水コネクター７までを第二ホース４で接続し、第一ホース３の基端をホースリール本体２の導出コネクターに接続してから、散水ノズル９を持ち、第一ホース３を必要量引き出して散水する。
散水が終了したら、まず、第二ホース４を水道蛇口および取水コネクター７から取り外す。
【００３６】
次いで、図１（ｂ）に示すように、第一ホース取付部２０を第一ホース３に装着する。第一ホース３において、第一ホース取付部２０を装着する位置は、散水ノズル９から見て、第二ホース４の全長の２分の１と略同じ長さだけ上流の位置とする。
これにより、第一ホース３にホース連結具５を取り付け、第二ホース４をＵ字状に二つ折りにすると、第二ホース４の両端のコネクター６，６が散水ノズル９付近に配置される。
なお、第一ホース取付部２０を装着すべき第一ホース３の箇所には、あらかじめ着色やシール等によって表示部を設け、使用者が第一ホース取付部２０を位置決めしやすいようにしてもよい。
【００３７】
次いで、操作レバー１３を回転させて第一ホース３をドラム１０に巻き取っていくと、第二ホース４は、第一ホース３とともにドラム１０に巻き取られてホースリール本体２に収納される。
このとき、仮に第二ホース４がホースリール１の幅方向に広がるように変形しようとしても、左右の大径円盤部１２，１２に案内されて自然に軸筒１１に巻き取られる。
【００３８】
図２（ａ）に示すように第二ホース４が先端まで巻き取られると、図２（ｂ）に示すように、第二ホース４の両端のコネクター６，６が、上アーチ１８と積層した第一ホース３、第二ホース４との隙間を通過することができず、それ以上の巻き込みが阻止される。
また、第一ホース３をドラム１０に巻き取るための回転方向を逆方向とした場合にも、第二ホース４の両端のコネクター６，６が、下アーチ１７と積層した第一ホース３、第二ホース４との隙間を通過することができず、それ以上の巻き込みが阻止される。
【００３９】
第一実施形態のホースリール１では、ホース連結具５によって第一ホース３と第二ホース４とを連結することにより、第二ホース４を収納するために特別の収納部を用意する必要がなく、第一ホース３と同じドラム１０に巻き取ることができる。このため、２本のホースを収納できるホースリールを小型かつ低コストで製造することができる。
また、ホース連結具５を第一ホース３の所定の位置に装着し、第一ホース３を巻き取るためにドラム１０を回転させるだけで、第二ホース４も巻き取り収納することができるため、使用者の巻き取り作業を簡易化することができる。
【００４０】
さらに、図２に示すように上アーチ１８または下アーチ１７が巻き込み制止部として第二ホース４の両端のコネクター６，６の巻き込みを阻止することにより、第二ホース４のコネクター６，６が常に引き出しやすい位置にあり、使用時に容易に引き出すことができる。
【００４１】
また、ホース連結具５を１つの部品として一体成形したことにより、部品点数が少なく、材料コストおよび加工コストを低減させることができる。また、一体成形するとホース連結具５を比較的小型にすることができるため、第一ホース３および第二ホース４の巻き取りに際して、ホース連結具５がつかえて阻害することがない。
【００４２】
＜第二実施形態＞
第二実施形態は、図４、図５に示すように、ホースリール本体２のドラム支持体として、ケース３０を設けたことを特徴とする。
図５（ａ）に示すように、このケース３０は、天板部３１、底板部３２、前板部３３、背板部３４、左側板部３５、右側板部３６からなる箱形に形成されて、第一ホース３を内部に収納して保護することができる。
天板部３１、底板部３２、前板部３３、背板部３４はそれぞれ略長方形に形成されている。天板部３１および底板部３２は水平に配置され、背板部３４は垂直に配置されているが、前板部３３は傾斜して配置されている。左右の側板部３５，３６は台形状に形成されている。
ケース３０は、左右方向の中央で縦割りにされた２つの部材を組み立てて形成される。
【００４３】
図４、図５（ａ）に示すように、天板部３１の側端には凹みが設けられ、取っ手３７を、寝かせた状態と垂直に立たせた状態との間で約９０度回転可能に取り付けられている。
取っ手３７を寝かせると、取っ手３７が天板部３１の凹みに収まり、取っ手３７を含めた天板部３１が略平面になる。
【００４４】
左側板部３５には円形の孔が設けられ、ドラム１０の大径円盤部１２が嵌めこまれることにより、ドラム１０がケース３０内に回転可能に収納されている。
右側板部３６にも小さな円形の孔が設けられ、取水コネクターがこの孔を貫通し、突出している（図示せず）。
前板部３３の略中心には、長方形のホース窓３８が穿設され、第一ホース３を出し入れすることができるようになっている。
【００４５】
また、第二実施形態では、図５（ａ）に示すように、ホース窓３８の上側の縁部が、巻き込み制止部として働く。
そのため、この縁部と軸筒１１との距離は、第一ホース３を完全に巻き取った状態で、積層した第一ホース３と縁部との間に形成される隙間が、第二ホース４のコネクター６，６の直径よりも狭くなるように設定してされている。
【００４６】
図４に示すように、左側板部３５に嵌めこまれた大径円盤部１２の中心には窪み３９が形成されている。
また、窪み３９の縁付近には、操作レバー１３が回転可能に取り付けられている。この操作レバー１３の先端の把持部は大径円盤部１２の端部からホースリール１の左側方に突出しており、ケース３０に対してドラム１０とともに回転させることにより、第一ホース３を巻き取ることができる。
また、操作レバー１３を大径円盤部１２に対して回転させると、窪み３９に収納することができ、ホースリール１を保管するために必要なスペースを小さくすることができる。
第二実施形態において、特筆しない部分は第一実施形態と同様の構成である。
【００４７】
第二実施形態のホースリール１でも、図４、図５（ａ）に示すように、ホース連結具５によって第一ホース３と第二ホース４とを連結することにより、第二ホース４を第一ホース３と同じドラム１０に巻き取ることができる。
このとき、仮に第二ホース４がホースリール１の幅方向に広がるように変形しようとしても、ホース窓３８の左右の縁部に案内されて自然にドラム１０に巻き取られる。
図５（ａ）に示すように、第二ホース４が先端まで巻き取られると、第二ホース４の両端のコネクター６，６が、ホース窓３８の上側の縁部と積層した第一ホース３、第二ホース４との隙間を通過することができず、それ以上の巻き込みが阻止される。
【００４８】
第二実施形態のホースリール１では、ケース３０の前板部３３が傾斜していることにより、ホース窓３８の下の前板部３３とドラム１０との間に、前方、左右側方および下方をケース３０に囲まれた空間（下部空間４０）が形成されている。
図５（ｂ）に示すように、この下部空間４０には、第二ホース４を先端まで巻き取ったときに、第二ホース４の両端のコネクター６，６を収納することができる。
図５（ｃ）に示すように、側面視で円形のドラム１０を側面視で非円形のケース３０に収納すると、必然的に下部空間４０のような隙間ができるため、これを第二ホース４のコネクター６，６の収納に有効利用することができる。第二ホース４のコネクター６，６をケース３０から突出しないように下部空間４０に収納することにより、ホースリール１を保管するために必要なスペースを小さくすることができる。また、第二ホース４のコネクター６，６をケース３０によって保護することができる。
【００４９】
＜ホース連結具の他の実施形態＞
第一実施形態のホース連結具５は第二ホース４に固定され、第一ホース３に対して着脱可能であったが、これとは逆に、第一ホース取付部２０を円筒状に形成し、第二ホース取付部２１を断面Ｃ字状に形成することにより、ホース連結具５が第一ホース３に固定され、第二ホース４に対して着脱可能となるようにしてもよい。
また、第一ホース取付部２０および第二ホース取付部２１の両方を断面Ｃ字状に形成して、ホース連結具５が第一ホース３および第二ホース４のいずれに対しても着脱可能となるようにしてもよい。この場合には、第一ホース取付部２０を装着すべき第一ホース３の箇所や、第二ホース取付部２１を装着すべき第二ホース４の箇所には、あらかじめ着色やシール等によって表示部を設け、使用者が位置決めしやすいようにしてもよい。
【００５０】
また、第一ホース取付部２０を取り付ける第一ホース３の位置は、第一ホース３の先端から見て、第二ホース４の全長の２分の１と略同じ長さだけ上流の位置には限定されず、より上流の位置でもよく、より下流の位置でもよい。
また、第二ホース取付部２１を取り付ける第二ホース４の位置も、第二ホース４の中央位置には限定されず、いずれかの端部であってもよく、中央位置以外の中途位置であってもよい。
第一ホース３の先端までドラム１０に巻き取った際に、第二ホース４の略全長もドラム１０に巻き取られていることが好ましいが、第二ホース４の一部が巻き残しとなってもよい。
【００５１】
また、第一実施形態のホース連結具５では、第一ホース取付部２０と第二ホース取付部２１とを９０度で交差させていたが、第一ホース取付部２０と第二ホース取付部２１とが他の角度で交差するように形成してもよい。第二ホース４を偏りなくスムーズにドラム１０に巻き取るには、第一実施形態のように、第一ホース取付部２０と第二ホース取付部２１とを９０度で交差させるのが好ましい。
また、第一ホース取付部２０と第二ホース取付部２１との交差角度を自由に変更できるように、互いに回転可能に取り付けてもよい。たとえば、第一ホース取付部２０と第二ホース取付部２１とを別体に形成し、片方の外周面から略球状の突起を突出させ、他方の外周面に設けた略球状の窪みに嵌入させることにより、第一ホース取付部２０と第二ホース取付部２１とを互いに回転可能に取り付けることができる。
【００５２】
さらに、ホース連結具５を、第一ホース取付部２０と第二ホース取付部２１とに分離可能に形成してもよい。
このような場合、第一ホース３の先端から見て、第二ホース４の全長の２分の１と略同じ長さだけ上流の位置に第一ホース取付部２０を固定しておくとともに、第二ホース４の略中央に第二ホース取付部２１を固定しておく。
第一ホース３への第一ホース取付部２０の固定手段や、第二ホース４への第二ホース取付部２１の固定手段としては、接着固定や、凹凸を嵌合させて動かないように固定するなど、あらゆる固定手段を用いることができる。
また第一ホース取付部２０と第二ホース取付部２１との着脱可能な取付手段としては、ネジ固定、マジックテープ（登録商標）等の面ファスナー、磁石やボタンによる取り付け、後述のようなクリップ固定やフックによる取り付けなど、あらゆる取付手段を用いることができる。
【００５３】
第一ホース３および第二ホース４を収納するときには第一ホース取付部２０と第二ホース取付部２１とを連結させ、第一ホース３および第二ホース４を使用するときには第一ホース取付部２０と第二ホース取付部２１とを分離する。
この実施形態では、使用者が第一ホース３および第二ホース４を収納する度にホース連結具５の位置決めをする必要がなく、より容易にホースを収納することができる。
【００５４】
＜クリップタイプ＞
このように、ホース連結具５を分離可能にした例として、図６にはクリップタイプのホース連結具５を示している。
このホース連結具５では、第一ホース取付部２０が円筒状に形成されて第一ホース３に固定され、第二ホース取付部２１も円筒状に形成されて第二ホース４に固定されている。
図６（ｂ）（ｃ）に示すように、第二ホース取付部２１からは、第一ホース取付部２０に外接することができ、弾性変形可能な断面Ｃ字状のクリップ部２２が突出している。
また、図６（ｄ）（ｅ）に示すように、第一ホース取付部２０の外周面には、２条のレール２３，２３が突出形成され、クリップ部２２を２条のレール２３，２３の間に取り付けることができるようになっている。
図６（ａ）に示すように、クリップ部２２を弾性変形させてレール２３，２３の間に取り付けると、第一ホース３と第二ホース４とを連結することができる。このとき、第二ホース取付部２１は、レール２３に沿って第一ホース取付部２０の軸回り（周方向）に回転することができるため、図７（ａ）（ｂ）に示すように、第一ホース３および第二ホース４の巻き取りに際して、積層したホース間の隙間に応じて回転し、新しく巻き取られるホースが既に積層したホースの隙間に入りやすくなり、巻き取ったホースの厚みが薄くなって、ホースリール１を小型化することができる。
【００５５】
＜フックタイプ＞
また、ホース連結具を分解可能にした他の例として、図８にはフックタイプのホース連結具５を示している。
このホース連結具５でも、第一ホース取付部２０は円筒状に形成されて第一ホース３に固定され、第二ホース取付部２１も円筒状に形成されて第二ホース４に固定されている。
第一ホース取付部２０からは、フック２４が突出形成されている。このフック２４は、根元部分に大きな円弧状の湾曲部分を有するとともに、先端部分を反らせ、第二ホース取付部２１を脱落しにくくしている。
第二ホース取付部２１の外周面には、受けリング２５が突出形成されている。
フック２４の先端から受けリング２５を通過させて、フック２４の根元付近が受けリング２５内に位置させることにより、第一ホース３と第二ホース４とを回転自在に係合することができる。このとき、第二ホース取付部２１は、フック２４の湾曲部分に沿って回転することができるため、第一ホース３および第二ホース４の巻き取りに際して、積層したホース間の隙間に応じて回転したり、第二ホース４が第一ホース３に対して垂直でなくなる方向に揺動したりして姿勢の自由度が高くなり、新しく巻き取られるホースが既に積層したホースの隙間に入りやすくなり、巻き取ったホースの厚みが薄くなって、ホースリール１を小型化することができる（図７（ａ）（ｂ）参照）。
【００５６】
＜バンドを使用したホース連結具＞
また、図９に示すように、第一ホース取付部２０の位置決めにバンド２６を用いてもよい。
このホース連結具５では、第一ホース取付部２０と第二ホース取付部２１とを互いに着脱可能に形成する。着脱手段については、上記のクリップタイプによる。
第一ホース取付部２０は、円筒状に形成しても断面Ｃ字状に形成してもよい。
第二ホース取付部２１は、断面Ｃ字状に形成して、第二ホース４に対して着脱可能にしておく。また、第二ホース取付部２１を装着する第二ホース４の略中央位置には、表示部を設けておくことが好ましい。
【００５７】
バンド２６には、糸、樹脂紐その他の柔らかい紐状部材を使用することができる。帯のようにある程度の幅を有するものも紐状部材に含まれる。
バンド２６の一端は、あらかじめ第一ホース３の先端付近に固定しておく。この固定方法としては、第一ホース３に強固に縛りつけたり、第一ホース３に溶着するほかに、コネクター８を第一ホース３に固定するロックとナット（図示せず）との間に挟み込むようにしてもよく、また、他の固定方法によってもよい。
バンド２６の他端は、第二ホース取付部２１に固定しておく。この固定方法も特に限定されず、あらゆる固定方法を採用することができる。
バンド２６の長さは、第二ホース４の全長の２分の１と略同じ長さとする。
【００５８】
このホースリール１では、散水時には、第二ホース取付部２１を第二ホース４から取り外して、第二ホース４を使用する。散水終了後には、まず、第二ホース取付部２１を持ち、バンド２６を第一ホース３に沿わせて真っ直ぐに張り、ちょうど第二ホース取付部２１が届く第一ホース３の中途位置に第一ホース取付部２０を装着する。次いで、第二ホース４の略中央に第二ホース取付部２１を装着する。次いで、第一ホース取付部２０に第二ホース取付部２１を取り付けて、第一ホース３と第二ホース４とを連結する。
その後、ドラム１０を回転させて第一ホース３および第二ホース４を巻き取って収納する。
この変形例では、第一ホース取付部２０を第一ホース３に取り付ける際の位置決めにバンド２６を用いることにより、容易に位置決めをすることができる。
【００５９】
また、図１０に示すように、第二ホース取付部２１の代わりに、第一ホース取付部２０とバンド２６とからなるホース連結具５を設けてもよい。
この変形例でも、あらかじめバンド２６の一端を第一ホース３の先端付近に固定しておく。また、バンド２６の他端を環状に結って、リング２７を設けておく。
バンド２６の長さは、第二ホース４の全長の２分の１よりわずかに長く形成する。
第一ホース取付部２０は、フックタイプと同様に、周面にフック２４を設けたものを使用する。
【００６０】
散水終了後には、まず、バンド２６のリング２７付近を、第二ホース４のほぼ中央位置に一周から数周巻き付ける。次いで、リング２７を持ち、バンド２６を第一ホース３に沿わせて真っ直ぐに張り、ちょうどリング２７が届く第一ホース３の中途位置に第一ホース取付部２０を装着する。次いで、第一ホース取付部２０のフック２４にリング２７を引っかけて、第一ホース３と第二ホース４とを連結する。
その後、ドラム１０を回転させて第一ホース３および第二ホース４を巻き取って収納する。
この変形例でも、第一ホース取付部２０を第一ホース３に取り付ける際の位置決めにバンド２６を用いることにより、容易に位置決めをすることができる。
また、第二ホース取付部として柔軟なバンド２６を用いることにより、第一ホース３および第二ホース４の巻き取りに際して、ホースリール本体２や積層したホースに引っかかることなく、スムーズな巻き取りが可能となる。また、ホース連結具５が、積層したホース間の隙間に応じて回転することにより、新しく巻き取られるホースが既に積層したホースの隙間に入りやすくなり、巻き取ったホースの厚みが薄くなって、ホースリール１を小型化することができる。
また、柔軟なバンド２６を使用することにより、第二ホース取付部の破損のおそれが低下する。
さらに、第二ホース取付部として比較的安価なバンド２６を用いることにより、ホース連結具の材料コストや加工コストを低下させることができる。
【００６１】
また、第二ホース取付部としてバンド２６を用いる場合であっても、図１１（ａ）に示すように、あらかじめバンド２６の一端を第二ホース４の略中央位置に固定し、他端を環状に結ってリング２７を形成してもよい。この変形例のバンド２６には、上記に列挙したほかに、針金等を使用してもよい。
第一ホースに対してバンドを固定する手段は、強固に縛りつけたり、溶着するほかに、バンドに取り付けたマジックテープ（登録商標）等の面ファスナー、ボタン、磁石などによって固定してもよい。
この場合、バンド２６の全長から第二ホース４に固定した部分とリング２７を除いた残りの長さは、ほとんどなくてもよい。
第一ホース取付部２０は、フックタイプと同様に、周面にフック２４を設けたものを使用する。第一ホース取付部は、第一ホース３の先端から見て、第二ホース４の全長の２分の１と略同じ長さだけ上流の位置にあらかじめ装着しておく。
【００６２】
散水終了後には、第一ホース取付部２０のフック２４にリング２７を引っかけて、第一ホース３と第二ホース４とを連結する。
その後、ドラム１０を回転させて第一ホース３および第二ホース４を巻き取って収納する。
この変形例でも、第二ホース取付部として柔軟なバンド２６を用いることにより、第一ホース３および第二ホース４の巻き取りに際して、ホースリール本体２や積層したホースに引っかかることなく、スムーズな巻き取りが可能となる。また、バンド２６が、積層したホース間の隙間に応じて回転することにより、新しく巻き取られるホースが既に積層したホースの隙間に入りやすくなり、巻き取られるホースの厚みが薄くなって、ホースリール１を小型化することができる。
また、柔軟なバンド２６を使用することにより、第二ホース取付部の破損のおそれが低下する。
さらに、第二ホース取付部として比較的安価なバンド２６を用いることにより、ホース連結具の材料コストや加工コストを低下させることができる。
【００６３】
また、図１１（ｂ）に示すように、ホース連結具を１つのバンド２６から形成してもよい。
この変形例では、バンド２６の一端を第二ホース４の略中央位置に固定しておく。第二ホース４に対してバンド２６を固定する手段は、強固に縛りつけたり、溶着するほかに、バンド２６に取り付けたマジックテープ（登録商標）等の面ファスナー、ボタン、磁石などによって装着してもよい。バンド２６として針金等を使用した場合には、バンド２６を第二ホース４に巻き付けるだけでも固定することができる。
【００６４】
散水終了後には、バンド２６の第二ホース４に固定されていない側の端部を、第一ホース３の先端の散水ノズル９から見て、第二ホース４の全長の２分の１と略同じ長さだけ上流の位置に装着する。
第一ホース３に対してバンド２６を装着する手段は、縛りつけるほかに、バンド２６に取り付けたマジックテープ（登録商標）等の面ファスナー、ボタン、磁石などによって装着してもよい。バンド２６として針金等を使用した場合には、バンド２６を第一ホース３に巻き付けるだけでも装着することができる。
これにより第一ホース３と第二ホース４とを連結し、ドラム１０を回転させて第一ホース３および第二ホース４を巻き取って収納する。再度ホースリール１を散水に使用する際には、第一ホース３および第二ホース４を引き出し、バンド２６を第一ホース３から取り外して、第一ホース３および第二ホース４を使用する。
【００６５】
この変形例でも、ホース連結具として柔軟なバンド２６を用いることにより、第一ホース３および第二ホース４の巻き取りに際して、ホースリール本体２や積層したホースに引っかかることなく、スムーズな巻き取りが可能となる。また、バンド２６が、積層したホース間の隙間に応じて回転することにより、新しく巻き取られるホースが既に積層したホースの隙間に入りやすくなり、巻き取られるホースの厚みが薄くなって、ホースリール１を小型化することができる。
また、柔軟なバンド２６を使用することにより、ホース連結具の破損のおそれが低下する。
さらに、比較的安価なバンド２６を用いることにより、ホース連結具の材料コストや加工コストを低下させることができる。
なお、この変形例とは逆に、バンド２６の一端を第一ホース３に固定し、他端を第二ホース４に着脱可能に装着してもよい。
【符号の説明】
【００６６】
１  ホースリール
２  ホースリール本体
３  第一ホース
４  第二ホース
５  ホース連結具
６  （第二ホースの）コネクター
７  取水コネクター
８  （第一ホースの）コネクター
９  散水ノズル
１０  ドラム
１１  軸筒
１２  大径円盤部
１３  操作レバー
１４  ドラム支持体
１５  基台
１６  側柱
１７  下アーチ
１８  上アーチ
２０  第一ホース取付部
２１  第二ホース取付部
２２  クリップ部
２３  レール
２４  フック
２５  受けリング
２６  バンド
２７  リング
３０  ケース
３１  天板部
３２  底板部
３３  前板部
３４  背板部
３５  （左）側板部
３６  （右）側板部
３７  取っ手
３８  ホース窓
３９  窪み
４０  下部空間
【図１】
2015189571.tif 000003
【図２】
2015189571.tif 000004
【図３】
2015189571.tif 000005
【図４】
2015189571.tif 000006
【図５】
2015189571.tif 000007
【図６】
2015189571.tif 000008
【図７】
2015189571.tif 000009
【図８】
2015189571.tif 000010
【図９】
2015189571.tif 000011
【図１０】
2015189571.tif 000012
【図１１】
2015189571.tif 000013